(57)【要約】【課題】  ディスクドライブ装置を搭載する携帯機器を操作しているときに、その携帯機器を手やクレイドルの上から落としてしまった場合でも、その落下の衝撃によりディスクドライブ装置にヘッドクラッシュが発生することを確実に防止することができる携帯機器を提供する。【解決手段】  ディスクドライブ装置２４を搭載する携帯機器２であって、当該携帯機器２とは別に備えられた被検出体３２が所定の距離の範囲内にあることを検出する検出部１４と、検出部１４が検出しなくなった場合に、ディスクドライブ装置２４に備えるヘッドの退避を行なわせるよう制御する制御部２６とを備えるようにした。【選択図】      図１
2006155734.tif 000002
【特許請求の範囲】
【請求項１】
ディスクドライブ装置を搭載する携帯機器であって、
当該携帯機器とは別に備えられた被検出体が所定の距離の範囲内にあることを検出する検出部と、
前記検出部が検出しなくなった場合に、前記ディスクドライブ装置に備えるヘッドの退避を行なわせるよう制御する制御部と
を備えることを特徴とする携帯機器。
【請求項２】
前記検出部は、前記被検出体を磁気的に検出することを特徴とする請求項１に記載の携帯機器。
【請求項３】
ディスクドライブ装置を搭載する携帯機器であって、
自機が保持されていることを検出する押圧検出部又は接触検出部と、
前記押圧検出部又は前記接触検出部が検出動作をしなくなった場合に、前記ディスクドライブ装置に備えるヘッドの退避を行なわせるよう制御する制御部と
を備えることを特徴とする携帯機器。
【請求項４】
ディスクドライブ装置を搭載する携帯機器と、この携帯機器が上に載置される充電用受台とを備える携帯機器セットであって、
前記充電用受台は被検出体を有し、
前記携帯機器は、
前記被検出体が所定の距離の範囲内にあることを検出する検出部と、
前記検出部が検出しなくなった場合に、前記ディスクドライブ装置に備えるヘッドの退避を行なわせるよう制御する制御部とを有する
ことを特徴とする携帯機器セット。
【請求項５】
携帯機器に搭載されたディスクドライブ装置の保護方法であって、
前記携帯機器は、
当該携帯機器とは別に備えられた被検出体が所定の距離の範囲内にあることを検出する検出部と、
前記ディスクドライブ装置を制御する制御部とを備え、
前記検出部が検出しなくなった場合に、前記制御部が前記ディスクドライブ装置に備えるヘッドの退避を行なわせるよう制御することを特徴とするディスクドライブ装置の保護方法。
【請求項６】
ディスクドライブ装置を搭載する携帯機器と、この携帯機器が上に載置される充電用受台とを備える携帯機器セットにおけるディスクドライブ装置の保護方法であって、
前記充電用受台は被検出体を有し、
前記携帯機器は、
前記被検出体が所定の距離の範囲内にあることを検出する検出部と、
前記ディスクドライブ装置を制御する制御部とを備え、
前記検出部が検出しなくなった場合に、前記制御部が前記ディスクドライブ装置に備えるヘッドの退避を行なわせるよう制御することを特徴とするディスクドライブ装置の保護方法。
【発明の詳細な説明】
【技術分野】
【０００１】
本発明は、ディスクドライブ装置を搭載するような、携帯電話機又は携帯型の録音再生装置等の携帯機器、及びこのような携帯機器とクレイドル等を備える携帯機器セット、並びにそのディスクドライブ装置の保護方法に関するものである。
【背景技術】
【０００２】
携帯電話機又は携帯型の録音再生装置のような携帯機器において、その記憶装置の大容量化を図るためにハードディスクドライブ装置を備えるものがあった。このハードディスクドライブ装置は、表面に磁性体がコーティングされて情報を記憶することができるようになっている円盤状のハードディスク（プラッタ）と、このハードディスクに対して情報の読み書きを行なうことができる磁気ヘッドとを備えている。
【０００３】
そして、ハードディスクドライブ装置は、ハードディスクがその円周方向に回転するようになっていると共に、磁気ヘッドが、ボイスコイルモーターと呼ばれる駆動装置により、ハードディスク上をその略半径方向に自在に移動することができるようになっているので、磁気ヘッドがハードディスク上の記録エリアの任意の位置にアクセスすることができるようになっている。
【０００４】
また、磁気ヘッドは、ハードディスクが回転中のときにはその表面から数十ｎｍ浮上して離れているため、磁気ヘッドとハードディスクは、互いに直接接触しないようになっている。
【０００５】
ハードディスクドライブ装置は、その動作中に振動や衝撃が加えられると、ハードディスクと磁気ヘッドが互いに衝突して損傷してしまうヘッドクラッシュを生じることがあり、このようなヘッドクラッシュを生じた後は、情報の読み書きを行なうことができなくなってしまう。
【０００６】
このため、一定時間アクセスがない時や電源が切れた時には、ハードディスクドライブ装置に、その磁気ヘッドをハードディスクの記録エリア上から記録エリア外のシッピングゾーン（ｓｈｉｐｐｉｎｇ  ｚｏｎｅ）という場所に退避させる動作を行なわせることにより、前記ヘッドクラッシュの発生を防止するオートシッピング機能を備えるような携帯機器があった。
【０００７】
また、磁気ヘッドがハードディスクに衝突するときの加速度を低減して、ヘッドクラッシュが発生しにくくなっている機構のハードディスクドライブ装置があった（例えば、特許文献１参照）。このようなハードディスクドライブ装置を携帯機器に搭載すれば、この携帯機器の振動や衝撃によるヘッドクラッシュの発生を防止してその耐久性を向上させることができた。
【０００８】
また、従来において、ハードディスクドライブ装置が搭載されている携帯機器と、このような携帯機器を載置して充電するためのクレイドル（充電用受台に相当）とを備える携帯機器セットがあった。
【特許文献１】特開平９−７１４４号公報
【発明の開示】
【発明が解決しようとする課題】
【０００９】
しかしながら、上記オートシッピング機能を備える携帯機器、又は前記特許文献１のハードディスクドライブ装置を搭載した携帯機器に限らず、携帯機器は、その操作等を行なう際には手で保持していることが多いので、このような手に保持している状態から携帯機器を誤って落としてしまった場合には、ハードディスクドライブ装置に衝撃を与えてヘッドクラッシュを引き起こしてしまう危険性がある。
【００１０】
このような携帯機器の落下は、手に保持して操作を行なう携帯機器に特有のヘッドクラッシュの原因であるため、上記オートシッピング機能を備えるようにしたり、前記特許文献１のハードディスクドライブ装置を搭載したりするようにしても、これらは、携帯機器の落下を原因とするようなヘッドクラッシュに対しては、その防止のための有効な手段とはならず、ヘッドクラッシュを確実に防ぐことができないという問題があった。
【００１１】
また、フロッピーディスクのようなフレキシブルディスク、及び光ディスク等のドライブ装置のような、ハードディスクドライブ装置以外の他のディスクドライブ装置を搭載した携帯機器においても、ハードディスクドライブ装置を搭載した携帯機器と同様に、携帯機器を誤って落としてしまったような場合には、ヘッドクラッシュを確実に防ぐことができないという問題があった。
【００１２】
また、携帯機器と充電用のクレイドルを備える前記携帯機器セットにおいては、携帯機器をクレイドルの上に載置した状態で操作することがあり、携帯機器を手で保持して操作を行なっている状態から誤って落としてしまうことがあるのと同様に、携帯機器をクレイドルから誤って落としてしまうことがある。このため、携帯機器セットにおいても、その携帯機器をクレイドルから誤って落とした場合には、ヘッドクラッシュを確実に防ぐことができないという問題があった。
【００１３】
そこで本発明は、上記問題点に鑑みて、ディスクドライブ装置を搭載する携帯機器を操作しているときに、その携帯機器を手やクレイドルの上から落としてしまった場合でも、その落下の衝撃によりディスクドライブ装置にヘッドクラッシュが発生することを確実に防止することができる携帯機器、及び携帯機器セット、並びにそのディスクドライブ装置の保護方法を提供することを課題とするものである。
【課題を解決するための手段】
【００１４】
上記課題を解決するために本発明は、
ディスクドライブ装置を搭載する携帯機器であって、
当該携帯機器とは別に備えられた被検出体が所定の距離の範囲内にあることを検出する検出部と、
前記検出部が検出しなくなった場合に、前記ディスクドライブ装置に備えるヘッドの退避を行なわせるよう制御する制御部とを備えることを特徴とするものである。
【００１５】
また、本発明による携帯機器は、前記検出部は、前記被検出体を磁気的に検出するようになっていてもよい。
【００１６】
また、上記課題を解決するために本発明は、
ディスクドライブ装置を搭載する携帯機器であって、
自機が保持されていることを検出する押圧検出部又は接触検出部と、
前記押圧検出部又は前記接触検出部が検出動作をしなくなった場合に、前記ディスクドライブ装置に備えるヘッドの退避を行なわせるよう制御する制御部とを備えることを特徴とするものである。
【００１７】
また、上記課題を解決するために本発明は、
ディスクドライブ装置を搭載する携帯機器と、この携帯機器が上に載置される充電用受台とを備える携帯機器セットであって、
前記充電用受台は被検出体を有し、
前記携帯機器は、
前記被検出体が所定の距離の範囲内にあることを検出する検出部と、
前記検出部が検出しなくなった場合に、前記ディスクドライブ装置に備えるヘッドの退避を行なわせるよう制御する制御部とを有することを特徴とするものである。
【００１８】
また、上記課題を解決するために本発明は、
携帯機器に搭載されたディスクドライブ装置の保護方法であって、
前記携帯機器は、
当該携帯機器とは別に備えられた被検出体が所定の距離の範囲内にあることを検出する検出部と、
前記ディスクドライブ装置を制御する制御部とを備え、
前記検出部が検出しなくなった場合に、前記制御部が前記ディスクドライブ装置に備えるヘッドの退避を行なわせるよう制御することを特徴とするものである。
【００１９】
また、上記課題を解決するために本発明は、
ディスクドライブ装置を搭載する携帯機器と、この携帯機器が上に載置される充電用受台とを備える携帯機器セットにおけるディスクドライブ装置の保護方法であって、
前記充電用受台は被検出体を有し、
前記携帯機器は、
前記被検出体が所定の距離の範囲内にあることを検出する検出部と、
前記ディスクドライブ装置を制御する制御部とを備え、
前記検出部が検出しなくなった場合に、前記制御部が前記ディスクドライブ装置に備えるヘッドの退避を行なわせるよう制御することを特徴とするものである。
【発明の効果】
【００２０】
このような本発明の携帯機器、及び携帯機器セット、並びにそのディスクドライブ装置の保護方法によれば、ディスクドライブ装置を搭載する携帯機器を操作しているときに、その携帯機器を手やクレイドルの上から落としてしまった場合でも、その落下の衝撃によりディスクドライブ装置にヘッドクラッシュが発生することを確実に防止することができる。
【発明を実施するための最良の形態】
【００２１】
以下、本発明に係る携帯機器、及び携帯機器セット、並びにそのディスクドライブ装置の保護方法の実施の形態について、図面に基づいて具体的に説明する。
図１及び図２は、本発明の第１の実施の形態に係る携帯電話機２、及び携帯電話機セット１（携帯機器セットに相当）、並びにそのディスクドライブ装置の保護方法について説明するために参照する図である。
【００２２】
図１に示すように、本実施の形態に係る携帯電話機セット１は、携帯電話機２と、その上に携帯電話機２を載置して充電することができるクレイドル３とが組合されている。また、この携帯電話機セット１は、図２に示すように、手首に装着されるリストバンド４を付属品として備えている。
【００２３】
図１に示すように、携帯電話機２は、送受信部５、音声処理部６、スピーカー８、マイクロホン１０、操作部１２、磁気センサー１４（検出部に相当）、画像処理部１６、イメージセンサー１８、表示部２０、記憶部２２、ハードディスクドライブ装置２４（ＨＤＤ）、及びこれらを制御する制御部２６を備えている。
【００２４】
送受信部５、音声処理部６、スピーカー８、及びマイクロホン１０は、従来の一般的な携帯電話機と同様に、通話の通信を行なうときに用いられる。また、画像処理部１６及び制御部２６等の処理動作により、表示部２０には、電子メール等の文章や画像等を表示することができるようになっている。
【００２５】
また、携帯電話機２は、電源部２８を備えており、上記送受信部５、音声処理部６、スピーカー８、マイクロホン１０、操作部１２、磁気センサー１４、画像処理部１６、イメージセンサー１８、表示部２０、記憶部２２、ハードディスクドライブ装置２４、及び制御部２６のそれぞれは、電源部２８から電力の供給を受けて動作するようになっている。また、携帯電話機２には、電源部２８と回路接続する充電用端子２８ａが設けられている。
【００２６】
一方、クレイドル３には、上記携帯電話機２の充電用端子２８ａに対応する充電用端子３ａが設けられており、この充電用端子３ａは、携帯電話機２がこのクレイドル３の上に載置されたときに、携帯電話機２の充電用端子２８ａに接触して回路接続し、電源部２８に対して充電を行なうような充電動作部（図示せず）に回路接続されている。また、クレイドル３には、所定の磁力を有するマグネット片３０（被検出体に相当）が備えられている。
【００２７】
また、図２に示すように、リストバンド４は、ユーザーの手首に装着することができるようになっており、このリストバンド４には、マグネット片３２（被検出体に相当）が固定されている。
【００２８】
携帯電話機２の磁気センサー１４は、クレイドル３のマグネット片３０、又はリストバンド４のマグネット片３２の磁気を検出している間、その旨の信号を制御部２６に出力し続けるようになっている。
【００２９】
ここで、この磁気センサー１４がマグネット片３０，３２の磁気を検出することができる距離の範囲は、マグネット片３０，３２のそれぞれの磁力の大きさに対応している。
【００３０】
すなわち、クレイドル３のマグネット片３０は、携帯電話機２がクレイドル３の上に載置された状態のときに、磁気センサー１４に検出され、携帯電話機２がクレイドル３から外されて離れた状態のときに検出されなくなる程度の磁力を有している。また、リストバンド４のマグネット片３２は、一般的なユーザーの手に保持されたときの携帯電話機２の位置と、このユーザーの手首に装着されたリストバンド４との間の距離で検出されるような磁力を有している。
【００３１】
また、図示しないが、上記マグネット片３０，３２とは異なる別のマグネット片を被検出体として備えるようにし、このようなマグネット片が机やバック等に配置されるようになっていてもよい。
【００３２】
次に、図１に示す記憶部２２は、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のような、ハードディスクドライブ装置２４以外の記憶装置である。
【００３３】
また、ハードディスクドライブ装置２４は、制御部２６の処理動作の対象となる各種の情報を記憶するようになっている。このハードディスクドライブ装置２４は、図示しないが、従来の一般的なハードディスクドライブ装置と同様の構造を有しており、磁気ヘッドがハードディスクに対して情報の読み書きを行なうようになっている。
【００３４】
また、制御部２６は、磁気センサー１４が、クレイドル３のマグネット片３０、又はリストバンド４のマグネット片３２の磁気を検出している間は、ハードディスクドライブ装置２４に通常通りの動作を行なわせるようになっている。そして、制御部２６は、磁気センサー１４がマグネット片３０，３２の磁気を検出しなくなった場合には、ハードディスクドライブ装置２４に、その磁気ヘッドの退避を直ちに行なわせてその動作を停止させ、磁気ヘッドが退避した状態を所定時間だけ維持させるようになっている。
【００３５】
次に、携帯電話機２がクレイドル３の上に載置されている状態において、この携帯電話機２をユーザーが誤ってクレイドル３上から落としたときにおける、この携帯電話機２の動作について説明する。
【００３６】
携帯電話機２がクレイドル３に載置されている状態においては、クレイドル３のマグネット片３０が磁気センサー１４から一定の距離の範囲内にあるので、磁気センサー１４はマグネット片３０の磁気を検出することができるため、制御部２６は、ハードディスクドライブ装置２４に通常通りの動作を行なわせるようになっている。
【００３７】
また、このようなハードディスクドライブ装置２４が通常通りの動作を行なっているときに、ユーザーが、誤って携帯電話機２をクレイドル３上から落としてしまった場合には、磁気センサー１４とマグネット片３０の間の距離が一定以上離れて、磁気センサー１４がマグネット片３０の磁気を検出できなくなる。
【００３８】
このため、ユーザーが誤って携帯電話機２をクレイドル３から落としてしまった場合には、制御部２６は、ハードディスクドライブ装置２４に、その磁気ヘッドの退避を直ちに行なわせてその動作を停止させるようになっている。
【００３９】
そして、制御部２６は、所定時間が経過するまで、ハードディスクドライブ装置２４の磁気ヘッドが退避した状態を維持させるようになっているので、携帯電話機２が地面等に衝突した後も、この携帯電話機２が転がっているおそれがある間は、ハードディスクドライブ装置２４が通常の動作を行なわないようになっている。
【００４０】
次に、ユーザーが携帯電話機２を手に保持して操作を行なっているような状態から、この携帯電話機２を誤って手から落としたときにおける、携帯電話機２の動作について説明する。
【００４１】
携帯電話機２を手に保持して操作を行なう場合には、この携帯電話機２を誤って落としたときでも、ヘッドクラッシュが発生しないようにするため、ユーザーはリストバンド４を手首に装着するようになっている。
【００４２】
ユーザーがリストバンド４を手首に装着して操作を行なっているときには、携帯電話機２の磁気センサー１４は、この磁気センサー１４から一定の距離の範囲内にあるリストバンド４のマグネット片３２の磁気を検出するようになっているため、制御部２６は、ハードディスクドライブ装置２４に通常通りの動作を行なわせるようになっている。
【００４３】
また、このようなハードディスクドライブ装置２４が通常通りの動作を行なっているときに、ユーザーが、誤って携帯電話機２を手から落としてしまった場合には、磁気センサー１４とマグネット片３２の間の距離が一定以上離れてしまうため、磁気センサー１４がマグネット片３２の磁気を検出できなくなる。
【００４４】
このため、制御部２６は、ハードディスクドライブ装置２４に、その磁気ヘッドの退避を直ちに行なわせ、所定時間が経過するまで、ハードディスクドライブ装置２４の動作が停止した状態を維持させるようになっている。
【００４５】
このような本実施の形態に係る携帯電話機セット１、及び携帯電話機２、並びにそのハードディスクドライブ装置２４の保護方法によれば、ハードディスクドライブ装置２４を搭載する携帯電話機２を操作しているときに、その携帯電話機２を手やクレイドル３の上から落としてしまった場合でも、その落下の衝撃によりハードディスクドライブ装置２４にヘッドクラッシュが発生することを確実に防止することができる。
【００４６】
すなわち、携帯電話機２は、ハードディスクドライブ装置２４の磁気ヘッドが退避した場合には、このような磁気ヘッドが退避した状態を所定時間だけ維持させるようになっているので、携帯電話機２の落下の開始後、地面等に衝突し転がって停止するまでの間、ヘッドクラッシュが生じることを確実に防止することができる。
【００４７】
次に、図３に基づいて、本発明の第２の実施の形態に係る携帯電話機セット５０について説明する。前記第１の実施の形態に係る携帯電話機セット１と同様の部分には同じ符号を付して説明し、同様の構成についての重複する説明は省略するものとする。
【００４８】
図３に示すように、本実施の形態に係る携帯電話機セット５０は、前記第１の実施の形態におけるリストバンド４及びマグネット片３２に代えて、指輪５２及びマグネット片５４を備えている。携帯電話機セット５０の携帯電話機２とクレイドル３が組合されていることは、図１に示す前記第１の実施の形態に係る携帯電話機セット１と同様である。
【００４９】
この指輪５２は、ユーザーの手の親指、又は親指以外の他の指に装着することができるようになっており、また、マグネット片５４の磁力は、前記第１の実施の形態におけるマグネット片３２よりも弱いものになっている。
【００５０】
指輪５２はユーザーの手の親指等に装着されるようになっていることにより、ユーザーが携帯電話機２を保持しているときにおいて、マグネット片５４は、前記第１の実施の形態におけるリストバンド４のマグネット片３２よりも磁気センサー１４に近付いているため、マグネット片５４の磁力が弱くても、磁気センサー１４は、このマグネット片５４の磁気を検出することができるようになっている。
【００５１】
また、マグネット片５４の磁力はマグネット片３２よりも弱いので、磁気センサー１４は、マグネット片５４を検出することができる距離の範囲がマグネット片３２よりも狭くなる。
【００５２】
このため、ユーザーが携帯電話機２を誤って落としてしまった場合には、磁気センサー１４は、前記第１の実施の形態におけるマグネット片３２よりも早いタイミングでマグネット片５４を検出しなくなるため、ユーザーが携帯電話機２を落としてしまったことを前記第１の実施の形態よりも早く検出することができるようになっている。
【００５３】
このような第２の実施の形態に係る携帯電話機セット５０、及び携帯電話機２、並びにそのハードディスクドライブ装置２４の保護方法によれば、前記第１の実施の形態と同様に、ハードディスクドライブ装置２４を搭載する携帯電話機２を操作しているときに、その携帯電話機２を手やクレイドル３の上から落としてしまった場合でも、その落下の衝撃によりハードディスクドライブ装置２４にヘッドクラッシュが発生することを確実に防止することができる。
【００５４】
すなわち、携帯電話機２は、前記第１の実施の形態と同様に、ハードディスクドライブ装置２４の磁気ヘッドが退避した状態を所定時間だけ維持させるようになっているので、携帯電話機２の落下の開始後、地面等に衝突し転がって停止するまでの間、ヘッドクラッシュが生じることを防止することができる。
【００５５】
なお、前記第１の実施の形態に係る携帯電話機セット１は、携帯電話機２、クレイドル３、及びリストバンド４を備えていたが、携帯電話機２とクレイドル３だけを備えるようになっていてもよく、或いは、携帯電話機２とリストバンド４だけを備えるようになっていてもよい。
【００５６】
また、前記第２の実施の形態に係る携帯電話機セット５０は、携帯電話機２、クレイドル３、及び指輪５２を備えていたが、携帯電話機２と指輪５２だけを備えるようになっていてもよい。
【００５７】
また、前記第１及び第２の実施の形態では、携帯電話機セット１，５０の携帯電話機２にハードディスクドライブ装置２４が搭載されている例について説明したが、携帯電話機２にハードディスクドライブ装置２４以外の他のディスクドライブ装置が搭載されている場合であっても、本発明を適用することにより、このような他のディスクドライブ装置にヘッドクラッシュが発生するのを確実に防止することができる。
【００５８】
また、前記第１及び第２の実施の形態では、マグネット片３２，５４がリストバンド４又は指輪５２に固定され、このリストバンド４又は指輪５２を手首又は手の指に装着するようになっていたが、このような手首又は手の指を除く他の身体の部分や、衣服の袖口等にマグネット片を取り付けるようになっていてもよい。
【００５９】
また、前記第１及び第２の実施の形態では、マグネット片３０，３２，５４の磁気を磁気センサー１４が検出するようになっていたが、このようなマグネット片３０，３２，５４の代わりに被検出体としてＩＣタグを用いると共に、磁気センサー１４の代わりにＩＣタグの検出装置を備えて、ＲＦＩＤ（Ｒａｄｉｏ  Ｆｒｅｑｕｅｎｃｙ  Ｉｄｅｎｔｉｆｉｃａｔｉｏｎ）の技術を用いるようになっていてもよい。
【００６０】
また、前記第１及び第２の実施の形態のように、マグネット片３０，３２，５４を磁気センサー１４が検出するようになっていると共に、携帯電話機２内にその落下を検出する加速度センサーを備えるようになっていてもよい。
【００６１】
このような場合には、さらに、ユーザーが携帯電話機２を手又はクレイドル３から誤って落としたことを、磁気センサー１４だけで検出する設定、又は加速度センサーだけで検出する設定のいずれか、又は両方で検出する設定に、操作で切換えることができるようになっていてもよい。
【００６２】
このような設定の切換えが行なえるようにすることにより、例えば、ユーザーが携帯電話機２を誤って落としたことを、磁気センサー１４だけで検出するように設定したときには、加速度センサーが落下以外の加速度を検出した場合にこれを落下と誤認しないようにすることができる。
【００６３】
また、加速度センサーだけで検出するように設定したときには、携帯電話機２をリストバンド４又は指輪５２を装着している方の手から反対の手に持ち替えたことを、磁気センサー１４が落下と誤認しないようにすることができる。
【００６４】
また、両方で検出するように設定したときには、加速度センサーが落下以外の加速度を検出したこと、及び携帯電話機２をリストバンド４又は指輪５２を装着している方の手から反対の手に持ち替えたことの両方を落下と誤認しないようにすることができる。
【００６５】
また、前記第１及び第２の実施の形態では、マグネット片３０，３２，５４の磁気を磁気センサー１４が検出しなくなることにより、ユーザーが携帯電話機２を手又はクレイドル３０から誤って落としたことを検知するようになっていたが、携帯電話機２の筐体の表面であって、ユーザーの手の指等が接触するような場所に、押圧センサー（押圧検出部に相当）又は静電センサー（接触検出部に相当）等が設けられるようになっていてもよい。
【００６６】
このような場合には、押圧センサー又は静電センサー等が、携帯電話機２を保持するユーザーの手の指等を検出しなくなることにより、ユーザーが携帯電話機２を誤って落としたことを検知することができる。
【００６７】
また、前記第１及び第２の実施の形態では、携帯電話機２を備えるような携帯電話機セット１に本発明を適用した場合について説明したが、携帯電話機２以外の、携帯型の録音再生装置やＰＤＡ（Ｐｅｒｓｏｎａｌ  Ｄｉｇｉｔａｌ  Ａｓｓｉｓｔａｎｔ）のような、他の携帯機器を備えるような携帯機器セットについても本発明を適用することができることはいうまでもない。
【図面の簡単な説明】
【００６８】
【図１】本発明の第１及び第２の実施の形態に係る携帯電話機セット１，５０の携帯電話機２及びクレイドル３の回路構成を示すブロック図である。
【図２】本発明の第１の実施の形態に係る携帯電話機セット１の携帯電話機２及びリストバンド４の使用時の状態を示す図である。
【図３】本発明の第２の実施の形態に係る携帯電話機セット５０の携帯電話機２及び指輪５２の使用時の状態を示す図である。
【符号の説明】
【００６９】
１  携帯電話機セット
２  携帯電話機
３  クレイドル
４  リストバンド
５  送受信部
６  音声処理部
８  スピーカー
１０  マイクロホン
１２  操作部
１４  磁気センサー
１６  画像処理部
１８  イメージセンサー
２０  表示部
２２  記憶部
２４  ハードディスクドライブ装置
２６  制御部
２８  電源部
３０，３２  マグネット片
５０  携帯電話機セット
５２  指輪
５４  マグネット片
【図１】
2006155734.tif 000003
【図２】
2006155734.tif 000004
【図３】
2006155734.tif 000005